(57)【要約】【課題】小屋組架構の棟木から軒桁にかけて斜めに架設された斜材の上面に、予め枠組みされた屋根パネルを載架して、この屋根パネルを前記斜材に固定する屋根構造において、屋根パネルの位置決めと固定を容易に行いうる屋根構造と、かかる屋根構造に適した屋根パネルを提供する。【解決手段】枠組みされた屋根パネル４０を斜材７，８１上に載架したときに斜材７，８１の側面に重合しうる断面形状の添垂木４６を、屋根パネル４０の下面側に突出して設け、この添垂木４６を斜材７，８１の側面に釘打ち固定する。【選択図】図２
2004218324.tif 000002
【特許請求の範囲】
【請求項１】
小屋組架構の棟木から軒桁にかけて斜めに架設された斜材の上面に、予め枠組みされた屋根パネルを載架して、この屋根パネルを前記斜材に固定する屋根構造において、
屋根パネルには、当該屋根パネルを前記斜材上に載架した状態で前記斜材の側面に重合する添垂木が、屋根パネルの下面側に突出して設けられ、この添垂木が前記斜材の側面に釘打ち固定されたことを特徴とする屋根構造。
【請求項２】
添垂木には、軒桁の上面及び側面に係合しうるあご部が切欠形成されていることを特徴とする請求項１に記載の屋根構造。
【請求項３】
外周部を構成する枠材と、前記枠材の内側に梯子状または格子状に配設された補強材と、前記枠材及び補強材の上面に貼設された屋根下地用面材とを備える屋根パネルにおいて、
当該屋根パネルを小屋組架構の棟木から軒桁にかけて斜めに架設された斜材の上面に載架したときに、前記斜材の側面に重合しうる添垂木が下面側に突出して設けられていることを特徴とする屋根パネル。
【請求項４】
添垂木には、軒桁の上面及び側面に係合しうるあご部が切欠形成されていることを特徴とする請求項３に記載の屋根パネル。
【発明の詳細な説明】
【０００１】
【発明の属する技術分野】
本発明は、木造またはこれに準じた木質系構造からなる小屋組架構に屋根パネルを固定する屋根構造と、該屋根構造に使用される屋根パネルに関する。
【０００２】
【従来の技術】
木質系住宅の分野では、従来より、現場施工の省力化や施工品質の安定を図るため、予め工場で部材を加工してパネルやユニット等の形態に組み立てることが広く行われている。屋根構造についても、工場生産した屋根パネルを小屋組架構の上に設置して屋根を形成する工法が採用されている（例えば特許文献１及び２、非特許文献１等）。さらに、このようなパネル式の屋根構法では、切妻屋根のケラバや寄棟屋根の隅部など一般部とは異なる特殊部位を、一般部とは形状の異なる変形パネルによって施工する工法も提案されている（例えば特許文献３等）。
【０００３】
本出願人も、図４〜図５に示すような屋根構造を実用化している。この屋根構造は、棟木１と軒桁２との間に垂木３を架設し、隣り合う垂木間に枠組みした屋根パネル４を固定するものである。屋根パネル４は、屋根の勾配方向に配される一対の縦枠材４１，４１と、棟側に水平方向に配される横枠材４２とによって外周部が枠組みされ、この枠体の内側に、母屋４３等の補強材が接合されている。枠材４１，４２と母屋４３等の断面高さは同寸となされ、それらの上面には野地板に相当する屋根下地用面材４４が貼設されている。縦枠材４１，４１の対向間隔は、隣り合う垂木３，３の間に微小なクリアランスをもって納まる寸法となされ、面材４４は、縦枠材４１の縁部から垂木３の幅の半分に相当する寸法だけ外方に張り出している。そして、図５に示すように、面材４４の張出縁部を垂木３の上面に載せ掛けた状態で垂木３，３間に載架され、各縦枠材４１を側方から垂木３に釘打ちして固定される。
【０００４】
【特許文献１】
特開平３−１６９９４６号公報
【０００５】
【特許文献２】
特開平４−４４５５１号公報
【０００６】
【特許文献３】
特開２００１−４９７８５号公報
【０００７】
【非特許文献１】
建築知識スーパームック「地震に強い木造住宅の設計マニュアル」、株式会社建築知識、１９９６年１月２１日、ｐ．１８０−１８１
【０００８】
【発明が解決しようとする課題】
前記従来の屋根構造では、通常、屋根パネルを小屋組架構に固定するための納まりが、一般部とケラバなどの特殊部位との間で異なった形態になる。本出願人の実用化にかかる前記屋根構造では、図６に示すように、小屋組架構の妻側端部に位置する小屋梁５上に棟束６１及び小屋束６２を立設し、棟束６１と小屋束６２との間に勾配梁７を架設するとともに、小屋束６２の軒側には三角形状の破風フレーム８を取り付けて、破風フレーム８の斜材８１と勾配梁７の上面にケラバ用の屋根パネル４’を載架する構造を採用している。
【０００９】
この構造では、破風フレーム８の斜材８１と勾配梁７の上面（以下、これらを区別せずに「ケラバ支持面」という。）が、一般部の垂木３の上面よりも低い位置に設けられる。ケラバ用屋根パネル４’は、このケラバ支持面上に載架されて、その一部が建物の外側に突出するので、ケラバ用屋根パネル４’の浮き上がりに抗するため、各母屋４３を図７に示すようなアングル状の金物９で、ケラバ支持面に固定している。この金物９は、ケラバ用屋根パネル４’の母屋４３の位置に合わせて、ケラバ支持面に予め釘止めされる。金物９と母屋４３には、それぞれボルト孔が予め形成され、ケラバ用屋根パネル４’を載架した後、各母屋４３と各金物９とがボルト・ナットで連結される。
【００１０】
しかしながら、このように複数本の母屋４３と複数個の金物９とをそれぞれボルト・ナットで連結する構造は、個々の母屋４３や金物９の取付位置、ボルト孔の形成位置等に微小なズレや加工誤差が避けられないことから、すべての箇所を無理なく連結することが困難である。これにより、施工現場では、ケラバ用屋根パネル４’の位置決めや固定に相当の手間がかかっているのが実情である。
【００１１】
そこで本発明は、例えば前記のような屋根パネルの納まりにおいて、屋根パネルの位置決めと固定を容易に行いうる屋根構造と、かかる屋根構造に適した屋根パネルを提供することを解決課題とする。
【００１２】
【課題を解決するための手段】
本発明の屋根構造は、小屋組架構の棟木から軒桁にかけて斜めに架設された斜材の上面に、予め枠組みされた屋根パネルを載架して、この屋根パネルを前記斜材に固定するものである。この屋根構造における斜材とは、例えば前記ケラバ支持面を構成する破風フレームの斜材や勾配梁であるが、これ以外にも、屋根パネルを下面側から支承しうる適宜の斜材を含み、かつ、その位置もケラバに限定されるものではない。
【００１３】
かかる屋根構造において、本発明は、前記屋根パネルに、当該屋根パネルを前記斜材上に載架した状態で前記斜材の側面に重合する添垂木が、屋根パネルの下面側に突出して設けられ、この添垂木が前記斜材の側面に釘打ち固定されたことを特徴とする。
【００１４】
さらに本発明の屋根構造は、前記添垂木に、軒桁の上面及び側面に係合しうるあご部が切欠形成されていることを特徴とする。
【００１５】
また、本発明の屋根パネルは、外周部を構成する枠材と、前記枠材の内側に梯子状または格子状に配設された補強材と、前記枠材及び補強材の上面に貼設された屋根下地用面材とを備える屋根パネルにおいて、当該屋根パネルを小屋組架構の棟木から軒桁にかけて斜めに架設された斜材の上面に載架したときに、前記斜材の側面に重合しうる添垂木が下面側に突出して設けられていることを特徴とする。
【００１６】
さらに本発明の屋根パネルは、前記添垂木に、軒桁の上面及び側面に係合しうるあご部が切欠形成されていることを特徴とする。
【００１７】
【発明の実施の形態】
以下、本発明の実施の形態について、図面を参照しつつ説明する。なお、前記従来の屋根構造（図４〜図６）と機能的に共通する部位・部材には、共通の名称及び符号を使用する。
【００１８】
図１は、屋根パネルを小屋組架構から分離した状態を示し、図２は、屋根パネルを小屋組架構に載架した状態を示す。また、図３は屋根パネルを載架した状態の側面形状を示す。
【００１９】
例示の小屋組架構は切妻屋根の妻側端部で、図６に示した小屋組架構と基本的に同じである。垂木３は、図示しない仕口金物を用いて、上下両端がそれぞれ棟木１と軒桁２に接合されている。妻側端部に架設された小屋梁５上には棟束６１及び小屋束６２が立設され、棟束６１と小屋束６２との間には勾配梁７が架設されるとともに、小屋束６２の軒側には側面視三角形状の破風フレーム８が取り付けられている。そして、勾配梁７の上面と破風フレーム８の斜材８１の上面が、ケラバ用の屋根パネル４０を支持するケラバ支持面になっている。このケラバ支持面は、垂木３の上面よりも低い位置、詳細には、一般部に載架される屋根パネル４（図４）の下面と一致する高さに設けられる。ただし、本発明においてケラバ支持面を構成する部材は、図示のように小屋束６２を挟んで接続される２本の部材に限らず、棟から軒まで１本で架設された斜材であってもよい。
【００２０】
ケラバ用の屋根パネル４０は、屋根の勾配方向に配される一対の縦枠材４１，４１’と、棟側に水平方向に配される横枠材４２とによって外周部が枠組みされ、この枠体の内側に、母屋４３等の補強材が接合されている。枠材４１，４２と母屋４３等の断面高さは同寸となされ、その上面には野地板に相当する屋根下地用面材４４が貼設されている。
【００２１】
ただし、例示の形態では、妻側に張り出して保持される縦枠材４１’が破風下地板を兼ねるため、この縦枠材４１’には一般部側の縦枠材４１よりも断面高さの大きい部材が使用されている。また、例示の形態では、屋根パネル４０を小屋組架構に設置した後、屋根パネル４０の下縁部に軒先母屋４５（図２参照）が取り付けられるので、枠体の下側が開放した形態になっているが、この軒先母屋４５に相当する下側の枠材は、予め屋根パネル４０に接合されていてもよい。
【００２２】
本発明の要部は、勾配方向に沿って屋根パネル４０の略中央に配置された添垂木４６にある。この添垂木４６は、一般部側の縦枠材４１や母屋４３よりも断面高さの大きい部材、具体的には垂木３と同程度の断面寸法を有する部材で、その上面が縦枠材４１や母屋４３の上面と揃うように取り付けられている。そのため、添垂木４６の下縁部は、図３に示すように、縦枠材４１や母屋４３の下面よりも下方に突出している。添垂木４６と母屋４３との交差部は、添垂木４６の上面に母屋４３の断面寸法に合致する切欠部を形成し、そこに母屋４３を嵌め込んで接合されている。
【００２３】
屋根パネル４０の幅方向における添垂木４６の位置は、この屋根パネル４０を小屋組架構の所定位置に載架したときに、添垂木４６が、勾配梁７及び破風フレーム８の建物本体側の側面に微小なクリアランスをもって重なり合うように設定されている。
【００２４】
さらに、この添垂木４６の下端部近傍の下面側には、前記載架状態で軒桁２の上面及び側面に係合しうるあご部４７が切欠形成されている。
【００２５】
このように構成された屋根パネル４０を棟木１と軒桁２との間に載架すると、図２〜図３に示すように、屋根パネル４０は、添垂木４６に形成されたあご部４７と軒桁２との係合によって勾配方向に仮保持される。同時に、添垂木４６を勾配梁７及び破風フレーム８の側面に当てがうことにより、水平方向にも位置決めされる。従って、現場では、微小なクリアランスの範囲で屋根パネル４０の位置を調整するだけで済む。
【００２６】
そして、屋根パネル４０の添垂木４６を、側方から勾配梁７及び破風フレーム８の側面に向けて釘打ち固定すれば、屋根パネル４０の固定が完了する。この釘は、添垂木４６と、勾配梁７及び破風フレーム８との重合面全体（図３中に示した網かけ部分）にわたって乱に打つことができる。したがって、各補強材と金物との位置を合わせてボルト・ナット連結する従来の構造（図６）に比べて、屋根パネルの位置決め及び固定作業をはるかに効率的に行うことができる。また、釘の本数や間隔を適切に設定することで、屋根パネルの取付強度も十分に確保される。こうして、屋根パネル４０の載架及び固定作業における施工性が向上する。
【００２７】
なお、以上の説明では切妻屋根のケラバ部分を例に挙げたが、本発明はこのような部位に限定されるものではない。勾配方向に配置された斜材の上面に屋根パネルを載架する構造であれば、当該斜材の側面に重合しうるような添垂木を屋根パネルに設けることで、広く他の部位にも適用することが可能である。
【００２８】
【発明の効果】
本発明によれば、屋根パネルの下面側に突出して設けられた添垂木を、小屋組架構の棟から軒桁にかけて斜めに架設された斜材の側面に重合させて、側方から釘打ち固定することができる。この釘は、添垂木の側面のほぼ全体にわたって乱に打つことができるので、屋根パネルの位置決め及び固定作業を効率的に行うことができる。
【００２９】
また、屋根パネルを構成する添垂木の下端部にあご部を切欠形成して、このあご部を軒桁に係合させるようにすれば、屋根パネルが勾配方向に対して仮保持されるので、屋根パネルの位置決めがさらに容易になり、施工性や安全性が向上する。
【図面の簡単な説明】
【図１】本発明の屋根構造及び屋根パネルの実施の形態を示す斜視図であり、屋根パネルを小屋組架構から分離した状態を示す図である。
【図２】同じく本発明の屋根構造及び屋根パネルの実施の形態を示す斜視図であり、屋根パネルを小屋組架構に載架した状態を示す図である。
【図３】図２に示した屋根パネルの載架状態の側面図である。
【図４】従来の屋根構造（一般部）と屋根パネルを示す斜視図である。
【図５】図４に示した屋根パネルと垂木との連結形態を示す部分断面図である。
【図６】従来の屋根構造（ケラバ部分）と屋根パネルを示す斜視図である。
【図７】図６中の丸囲み部分Ａにおける小屋組架構と屋根パネルとの連結形態を示す部分斜視図である。
【符号の説明】
１    棟木
２    軒桁
４０  屋根パネル
４１  縦枠材
４２  横枠材
４３  母屋（補強材）
４４  屋根下地用面材
４６  添垂木
４７  あご部
７    勾配梁（斜材）
８    破風フレーム
【図１】
2004218324.tif 000003
【図２】
2004218324.tif 000004
【図３】
2004218324.tif 000005
【図４】
2004218324.tif 000006
【図５】
2004218324.tif 000007
【図６】
2004218324.tif 000008
【図７】
2004218324.tif 000009